(57)【特許請求の範囲】
【請求項１】
読取原稿からデータを読み取る読取部と、
前記読取部により読み取られたデータを印刷用紙に印刷する印刷部と、
前記印刷用紙のサイズに基づいて、前記印刷部による印刷を完了した印刷枚数を計測する印刷枚数計測部と、
前記印刷用紙のサイズを拡大／縮小倍率で除算して得られる、前記読取部により読取が行なわれる読取範囲のサイズに基づいて、前記読取部によりデータの読取が行なわれる読取原稿の読取枚数を計測する読取枚数計測部と、
を備え、
前記読取枚数計測部は、
前記読取範囲のサイズが所定読取サイズ以上であるときには、実際の読取枚数より多い枚数を第１読取枚数として計測する一方で、前記読取範囲のサイズが前記所定読取サイズ未満であるときには、実際の読取枚数に等しい枚数を第１読取枚数として計測する第１読取枚数計測部、
を含み、
前記印刷枚数計測部は、
前記印刷用紙のサイズが所定用紙サイズ以上であるときには、実際の印刷枚数より多い枚数を第１印刷枚数として計測する一方で、前記印刷用紙のサイズが前記所定用紙サイズ未満であるときには、実際の印刷枚数に等しい枚数を第１印刷枚数として計測することを特徴とする原稿読取装置。
【請求項２】
請求項１に記載の原稿読取装置において、
前記第１読取枚数計測部は、前記読取範囲のサイズが定型サイズでないときには、前記読取範囲のサイズを、前記読取範囲のサイズに最も近い定型サイズに置き換えて、前記第１読取枚数を計測することを特徴とする原稿読取装置。
【請求項３】
請求項１に記載の原稿読取装置において、
前記第１読取枚数計測部は、前記読取範囲のサイズが前記読取部により読取が行なわれる最大読取範囲のサイズより大きいときには、前記読取範囲のサイズを、前記最大読取範囲のサイズに置き換えて、前記第１読取枚数を計測することを特徴とする原稿読取装置。
【請求項４】
請求項１ないし請求項３のいずれかに記載の原稿読取装置において、
前記読取枚数計測部は、
前記読取範囲のサイズおよび前記所定サイズの大小に関わらず、実際の読取枚数に等しい枚数を第２読取枚数として計測する第２読取枚数計測部、
を含むことを特徴とする原稿読取装置。
【発明の詳細な説明】
【技術分野】
【０００１】
本発明は、使用料金を計算するデジタル複合機に関する。
【背景技術】
【０００２】
デジタル複合機は、コピー、ファックス、スキャンなどの様々な用途で使用される。また、デジタル複合機は、以上の様々な用途について、使用料金を計算する。ここで、デジタル複合機は、使用料金を計算するために、印刷部において処理される印刷用紙の枚数をカウントする。デジタル複合機が印刷枚数をカウントする方法として、特許文献１に開示された方法がある。
【０００３】
特許文献１に開示された方法では、デジタル複合機は、印刷部において処理される印刷用紙の長さを計測する。そして、デジタル複合機は、計測した印刷用紙の長さを所定サイズの印刷用紙の枚数に換算する。これにより、デジタル複合機は、換算した所定サイズの印刷用紙の枚数に基づいて、印刷部において送りローラなどの消耗品が交換されるべきかどうかを判断できる。
【０００４】
【特許文献１】特許第２９０４０３９号公報
【発明の開示】
【発明が解決しようとする課題】
【０００５】
特許文献１のデジタル複合機は、換算した所定サイズの印刷用紙の枚数に基づいて、送りローラなどの消耗品が交換されるべきかどうかを判断できる。また、特許文献１のデジタル複合機は、換算した所定サイズの印刷用紙の枚数に基づいて、使用料金を計算できる。
【０００６】
しかし、デジタル複合機は、拡大コピーまたは縮小コピーを行なうことがある。このときには、読取処理における読取範囲サイズが、印刷処理における印刷用紙サイズより大きいことがある。そのため、デジタル複合機は、読取部が主に使用される実情よりも、使用料金を少なく見積もる可能性がある。
【０００７】
そこで、本発明は前記問題点に鑑み、実際の使用状況を考慮して使用料金を計算するデジタル複合機を提供することを目的とする。
【課題を解決するための手段】
【０００８】
上記課題を解決するため、請求項１記載の発明は、原稿読取装置であって、読取原稿からデータを読み取る読取部と、前記読取部により読み取られたデータを印刷用紙に印刷する印刷部と、前記印刷用紙のサイズに基づいて、前記印刷部による印刷を完了した印刷枚数を計測する印刷枚数計測部と、前記印刷用紙のサイズを拡大／縮小倍率で除算して得られる、前記読取部により読取が行なわれる読取範囲のサイズに基づいて、前記読取部によりデータの読取が行なわれる読取原稿の読取枚数を計測する読取枚数計測部と、を備え、前記読取枚数計測部は、前記読取範囲のサイズが所定読取サイズ以上であるときには、実際の読取枚数より多い枚数を第１読取枚数として計測する一方で、前記読取範囲のサイズが前記所定読取サイズ未満であるときには、実際の読取枚数に等しい枚数を第１読取枚数として計測する第１読取枚数計測部、を含み、前記印刷枚数計測部は、前記印刷用紙のサイズが所定用紙サイズ以上であるときには、実際の印刷枚数より多い枚数を第１印刷枚数として計測する一方で、前記印刷用紙のサイズが前記所定用紙サイズ未満であるときには、実際の印刷枚数に等しい枚数を第１印刷枚数として計測することを特徴とする。
【０００９】
請求項２記載の発明は、請求項１に記載の原稿読取装置において、前記第１読取枚数計測部は、前記読取範囲のサイズが定型サイズでないときには、前記読取範囲のサイズを、前記読取範囲のサイズに最も近い定型サイズに置き換えて、前記第１読取枚数を計測することを特徴とする。
【００１０】
請求項３記載の発明は、請求項１に記載の原稿読取装置において、前記第１読取枚数計測部は、前記読取範囲のサイズが前記読取部により読取が行なわれる最大読取範囲のサイズより大きいときには、前記読取範囲のサイズを、前記最大読取範囲のサイズに置き換えて、前記第１読取枚数を計測することを特徴とする。
【００１１】
請求項４記載の発明は、請求項１ないし請求項３のいずれかに記載の原稿読取装置において、前記読取枚数計測部は、前記読取範囲のサイズおよび前記所定サイズの大小に関わらず、実際の読取枚数に等しい枚数を第２読取枚数として計測する第２読取枚数計測部、
を含むことを特徴とする。
【発明の効果】
【００１２】
本発明に係る原稿読取装置は、読取処理を行なった読取原稿の読取枚数を計測する読取枚数計測部を備える。読取枚数計測部は、第１読取枚数計測部および第２読取枚数計測部を備える。
【００１３】
第１読取枚数計測部は、所定サイズ以上の読取範囲サイズについては、読取原稿１枚あたりの第１読取枚数を１より増加させる。第２読取枚数計測部は、所定サイズ以上の読取範囲サイズについても、読取原稿１枚あたりの第２読取枚数を１とする。ここで、読取範囲サイズは、印刷用紙サイズを拡大／縮小倍率で除算して得られるサイズである。
【００１４】
原稿読取装置は、第１読取枚数計測部における枚数計測に基づいて、使用料金を計算する。すなわち、原稿読取装置は、拡大コピーまたは縮小コピーにおいて、読取部の実際の使用状況を考慮して、使用料金を計算できる。
【００１５】
原稿読取装置は、第２読取枚数計測部における枚数計測に基づいて、送りローラなどの消耗品が交換されるべきかどうかを判断する。すなわち、原稿読取装置は、拡大コピーまたは縮小コピーにおいて、読取部の実際の使用状況を考慮して、送りローラなどの消耗品が交換されるべきかどうかを判断できる。
【発明を実施するための最良の形態】
【００１６】
｛デジタル複合機の構成要素｝
以下、図面を参照しつつ、本発明の実施の形態について説明する。図１は、デジタル複合機１の構成要素を示すブロック図である。デジタル複合機１は、コピー、ファックス、スキャンなどの様々な用途で使用される。デジタル複合機１は、設定部１１、読取部１２、印刷部１３、読取枚数カウンタ１４、印刷枚数カウンタ１５、表示部１６などから構成される。
【００１７】
設定部１１は、ユーザがコピー、ファックス、スキャンなどの設定を行なうための機能部である。ユーザは、コピー、ファックス、スキャンなどの用途に応じて、読取原稿サイズ、印刷用紙サイズ、拡大コピーまたは縮小コピーにおける拡大／縮小倍率などを設定する。デジタル複合機１が図示しないネットワークに接続されるときには、設定部１１は図示しないユーザ端末から設定内容について通知を受ける。
【００１８】
読取部１２は、ユーザがコピー、ファックス送信、スキャンなどを行なうときに、読取原稿からデータを読み取る機能部である。読取部１２は、設定部１１から設定内容について通知を受ける。そして、読取部１２は、読取原稿１枚分の読取を完了したときに、後述する読取枚数カウンタ１４に、読取を完了した読取範囲のサイズについて通知する。
【００１９】
ここで、読取範囲サイズは、印刷用紙サイズを拡大／縮小倍率で除算して得られるサイズである。そのため、読取部１２が設定部１１から通知を受けた拡大／縮小倍率によっては、読取範囲サイズおよび読取原稿サイズは必ずしも一致しないことがある。
【００２０】
印刷部１３は、ユーザがコピー、ファックス受信などを行なうときに、印刷用紙にデータを印刷する機能部である。印刷部１３は、設定部１１から設定内容について通知を受ける。そして、印刷部１３は、印刷用紙１枚分の印刷を完了したときに、後述する印刷枚数カウンタ１５に、印刷を完了した印刷用紙のサイズについて通知する。
【００２１】
読取枚数カウンタ１４は、読取部１２による読取枚数をカウントする機能部である。読取枚数カウンタ１４は、課金カウンタ１４１、物理カウンタ１４２を備えることにより、２種類の方法で読取枚数をカウントする。
【００２２】
課金カウンタ１４１は、読取部１２から通知を受けた読取範囲サイズが所定サイズ未満であるときには、通常どおり１枚分のカウントを行なう。しかし、課金カウンタ１４１は、読取部１２から通知を受けた読取範囲サイズが所定サイズ以上であるときには、複数枚分のカウントを行なう。
【００２３】
物理カウンタ１４２は、読取部１２から通知を受けた読取範囲サイズが所定サイズ未満であるときにも、所定サイズ以上であるときにも、通常どおり１枚分のカウントを行なう。
【００２４】
印刷枚数カウンタ１５は、印刷部１３による印刷枚数をカウントする機能部である。印刷枚数カウンタ１５は、課金カウンタ１５１、物理カウンタ１５２を備えることにより、２種類の方法で印刷枚数をカウントする。
【００２５】
課金カウンタ１５１は、印刷部１３から通知を受けた印刷用紙サイズが所定用紙サイズ未満であるときには、通常どおり１枚分のカウントを行なう。しかし、課金カウンタ１５１は、印刷部１３から通知を受けた印刷用紙サイズが所定用紙サイズ以上であるときには、複数枚分のカウントを行なう。
【００２６】
物理カウンタ１５２は、印刷部１３から通知を受けた印刷用紙サイズが所定用紙サイズ未満であるときにも、所定用紙サイズ以上であるときにも、通常どおり１枚分のカウントを行なう。
【００２７】
表示部１６は、ユーザが読取枚数および印刷枚数を表示させるための機能部である。表示部１６は、課金カウンタ１４１、１５１による課金カウントを表示することにより、料金集計結果を表示する。表示部１６は、物理カウンタ１４２、１５２による物理カウントを表示することにより、送りローラなどの消耗品の交換時期を表示する。
【００２８】
｛読取枚数および印刷枚数のカウント処理｝
次に、デジタル複合機１が読取枚数および印刷枚数をカウントする処理の流れについて説明する。図２は、デジタル複合機１におけるカウント処理の流れを示すフローチャートである。読取枚数カウンタ１４および印刷枚数カウンタ１５における処理の流れは同様である。そのため、読取枚数カウンタ１４における処理の流れについて説明する。
【００２９】
読取部１２は、設定部１１から設定内容について通知を受ける。そして、読取部１２は、読取原稿１枚分の読取を完了したときに、読取を完了した読取範囲のサイズについて、読取枚数カウンタ１４に通知する（ステップＳ１）。
【００３０】
まず、物理カウンタ１４２が読取枚数をカウントする方法について説明する。物理カウンタ１４２は、読取部１２から通知を受けた読取範囲サイズに関わらず、通常どおり１枚分のカウントを行なう（ステップＳ２）。
【００３１】
次に、課金カウンタ１４１が読取枚数をカウントする方法について説明する。読取部１２から通知を受けた読取範囲サイズがＡ３サイズ以上であるときには（ステップＳ３においてＹＥＳ）、課金カウンタ１４１は、２枚分のカウントを行なう（ステップＳ４）。
【００３２】
読取部１２から通知を受けた読取範囲サイズがＡ３サイズ未満であるときには（ステップＳ３においてＮＯ）、課金カウンタ１４１は、通常どおり１枚分のカウントを行なう（ステップＳ５）。
【００３３】
読取部１２は、設定部１１から通知を受けた設定内容を実行し終わったときには（ステップＳ６においてＹＥＳ）、読取操作を終了する。また、読取部１２は、読取範囲サイズについて読取枚数カウンタ１４に通知することを終了する。
【００３４】
読取部１２は、設定部１１から通知を受けた設定内容を実行し終わっていないときには（ステップＳ６においてＮＯ）、読取操作を続行する。また、読取部１２は、読取範囲サイズについて読取枚数カウンタ１４に通知することを続行する（ステップＳ１）。
【００３５】
図３は、デジタル複合機１における使用状況およびカウントを示す図である。図４から図８までは、デジタル複合機１における読取処理および印刷処理を示す図である。
【００３６】
図３の左側ブロックには、コピー回数が記載されている。図３の中央ブロックには、各回のコピーにおける読取原稿サイズ、印刷用紙サイズ、拡大／縮小倍率が記載されている。図３の右側ブロックには、各回のコピーにおける読取枚数および印刷枚数の課金カウントが記載されている。各回のコピーにおいて、読取部１２が処理する読取原稿、および、印刷部１３が処理する印刷用紙は、それぞれ１枚ずつである。読取部１２において読み取られる最大読取範囲のサイズは、デジタル複合機１の性能上Ａ３サイズである。
【００３７】
１回目のコピーでは、Ａ４サイズの読取原稿について、Ａ３サイズの印刷用紙に、拡大／縮小倍率が１００％である等倍コピーが行なわれている。１回目のコピーにおける読取処理および印刷処理が、図４に示されている。
【００３８】
印刷用紙１３１のサイズは、Ａ３サイズである。また、拡大／縮小倍率は、１００％である。そのため、読取範囲１２１のサイズは、印刷用紙１３１のサイズを、拡大／縮小倍率で除算して得られるＡ３サイズである。
【００３９】
読取範囲１２１のサイズは、読取原稿１２０のサイズであるＡ４サイズより大きい。そのため、読取原稿１２０の領域のみならず、読取範囲１２１の領域が、読取部１２において読み取られる（ステップＳ１）。
【００４０】
読取範囲サイズはＡ３サイズであるため、読取枚数の課金カウントは２である（ステップＳ３においてＹＥＳ、ステップＳ４）。しかし、読取枚数の物理カウントは１である（ステップＳ２）。印刷用紙サイズはＡ３サイズであるため、印刷枚数の課金カウントは２である（ステップＳ３においてＹＥＳ、ステップＳ４）。しかし、印刷枚数の物理カウントは１である（ステップＳ２）。
【００４１】
２回目のコピーでは、Ａ３サイズの読取原稿について、Ａ４サイズの印刷用紙に、拡大／縮小倍率が１００％である等倍コピーが行なわれている。２回目のコピーにおける読取処理および印刷処理が、図５に示されている。
【００４２】
印刷用紙１３３のサイズは、Ａ４サイズである。また、拡大／縮小倍率は、１００％である。そのため、読取範囲１２３のサイズは、印刷用紙１３３のサイズを、拡大／縮小倍率で除算して得られるＡ４サイズである。
【００４３】
読取範囲１２３のサイズは、読取原稿１２２のサイズであるＡ３サイズより小さい。そのため、読取原稿１２２の領域すべてが、読取部１２において読み取られるわけではない。読取範囲１２３の領域が、読取部１２において読み取られる（ステップＳ１）。
【００４４】
読取範囲サイズはＡ４サイズであるため、読取枚数の課金カウントは１である（ステップＳ３においてＮＯ、ステップＳ５）。また、読取枚数の物理カウントは１である（ステップＳ２）。印刷用紙サイズはＡ４サイズであるため、印刷枚数の課金カウントは１である（ステップＳ３においてＮＯ、ステップＳ５）。また、印刷枚数の物理カウントは１である（ステップＳ２）。
【００４５】
３回目のコピーでは、Ａ３サイズの読取原稿について、Ａ３サイズの印刷用紙に、拡大／縮小倍率が１１５％である拡大コピーが行なわれている。３回目のコピーにおける読取処理および印刷処理が、図６に示されている。
【００４６】
印刷用紙１３５のサイズは、Ａ３サイズである。また、拡大／縮小倍率は、１１５％である。そのため、読取範囲１２５のサイズは、印刷用紙１３５のサイズを、拡大／縮小倍率で除算して得られるＢ４サイズである。
【００４７】
読取範囲１２５のサイズは、読取原稿１２４のサイズであるＡ３サイズより小さい。そのため、読取原稿１２４の領域すべてが、読取部１２において読み取られるわけではない。読取範囲１２５の領域が、読取部１２において読み取られる。
【００４８】
読取範囲サイズはＢ４サイズであるため、読取枚数の課金カウントは１である。また、読取枚数の物理カウントは１である。印刷用紙サイズはＡ３サイズであるため、印刷枚数の課金カウントは２である。しかし、印刷枚数の物理カウントは１である。
【００４９】
４回目のコピーでは、Ｂ４サイズの読取原稿について、Ｂ４サイズの印刷用紙に、拡大／縮小倍率が８６％である縮小コピーが行なわれている。４回目のコピーにおける読取処理および印刷処理が、図７に示されている。
【００５０】
印刷用紙１３７のサイズは、Ｂ４サイズである。また、拡大／縮小倍率は、８６％である。そのため、読取範囲１２７のサイズは、印刷用紙１３７のサイズを、拡大／縮小倍率で除算して得られるＡ３サイズである。
【００５１】
読取範囲１２７のサイズは、読取原稿１２６のサイズであるＢ４サイズより大きい。そのため、読取原稿１２６の領域のみならず、読取範囲１２７の領域が、読取部１２において読み取られる。
【００５２】
読取範囲サイズはＡ３サイズであるため、読取枚数の課金カウントは２である。しかし、読取枚数の物理カウントは１である。印刷用紙サイズはＢ４サイズであるため、印刷枚数の課金カウントは１である。また、印刷枚数の物理カウントは１である。
【００５３】
５回目のコピーでは、Ａ３サイズの読取原稿について、Ａ３サイズの印刷用紙に、拡大／縮小倍率が８６％である縮小コピーが行なわれている。５回目のコピーにおける読取処理および印刷処理が、図８に示されている。
【００５４】
印刷用紙１３９のサイズは、Ａ３サイズである。また、拡大／縮小倍率は、８６％である。そのため、読取範囲１２９のサイズは、印刷用紙１３９のサイズを、拡大／縮小倍率で除算して得られるサイズである。すなわち、読取範囲１２９のサイズは、Ａ３サイズより大きいサイズであり、かつ、定型サイズではないサイズである。
【００５５】
読取範囲１２９のサイズは、読取部１２において読み取られる最大読取範囲のサイズであるＡ３サイズより大きい。そのため、最大読取範囲の領域が、読取部１２において読み取られる。
【００５６】
読取範囲サイズはＡ３サイズであるため、読取枚数の課金カウントは２である。しかし、読取枚数の物理カウントは１である。印刷用紙サイズはＡ３サイズであるため、印刷枚数の課金カウントは２である。しかし、印刷枚数の物理カウントは１である。
【００５７】
６回目のコピーでは、Ａ３サイズの読取原稿について、Ａ４サイズの印刷用紙に、拡大／縮小倍率が自動設定される縮小コピーが行なわれている。自動設定される拡大／縮小倍率は、７０％である。読取範囲サイズは、読取原稿サイズに等しい。そして、読取範囲の領域が、読取部１２において読み取られる。
【００５８】
読取範囲サイズはＡ３サイズであるため、読取枚数の課金カウントは２である。しかし、読取枚数の物理カウントは１である。印刷用紙サイズはＡ４サイズであるため、印刷枚数の課金カウントは１である。また、印刷枚数の物理カウントは１である。
【００５９】
７回目のコピーでは、Ａ４サイズの読取原稿について、Ａ３サイズの印刷用紙に、拡大／縮小倍率が自動設定される拡大コピーが行なわれている。自動設定される拡大／縮小倍率は、１４１％である。読取範囲サイズは、読取原稿サイズに等しい。そして、読取範囲の領域が、読取部１２において読み取られる。
【００６０】
読取範囲サイズはＡ４サイズであるため、読取枚数の課金カウントは１である。また、読取枚数の物理カウントは１である。印刷用紙サイズはＡ３サイズであるため、印刷枚数の課金カウントは２である。しかし、印刷枚数の物理カウントは１である。
【００６１】
８回目のコピーでは、Ａ３サイズの読取原稿について、Ａ３サイズの印刷用紙に、拡大／縮小倍率が１２０％である拡大コピーが行なわれている。すなわち、８回目のコピー、および、図６で説明した３回目のコピーを比較したときに、拡大／縮小倍率が異なる。
【００６２】
印刷用紙サイズは、Ａ３サイズである。また、拡大／縮小倍率は、１２０％である。そのため、読取範囲サイズは、印刷用紙サイズを、拡大／縮小倍率で除算して得られるサイズである。すなわち、読取範囲サイズは、Ｂ４サイズより小さくＡ４サイズより大きいサイズであり、かつ、定型サイズではないサイズである。
【００６３】
読取範囲サイズは、読取原稿サイズであるＡ３サイズより小さい。そのため、読取原稿の領域すべてが、読取部１２において読み取られるわけではない。読取範囲の領域が、読取部１２において読み取られる。
【００６４】
読取範囲サイズは、定型サイズではないサイズである。このときには、課金カウンタ１４１は、その読取範囲サイズに基づいて、課金カウントを行なうのではない。むしろ、課金カウンタ１４１は、その読取範囲サイズより大きいサイズであり、かつ、その読取範囲サイズに最も近い定型サイズに基づいて、課金カウントを行なう。すなわち、課金カウンタ１４１は、読取範囲サイズがＢ４サイズであるとみなしたうえで、課金カウントを行なう。
【００６５】
読取範囲サイズはＢ４サイズとみなされるため、読取枚数の課金カウントは１である。また、読取枚数の物理カウントは１である。印刷用紙サイズはＡ３サイズであるため、印刷枚数の課金カウントは２である。しかし、印刷枚数の物理カウントは１である。
【００６６】
９回目のコピーでは、Ｂ４サイズの読取原稿について、Ｂ４サイズの印刷用紙に、拡大／縮小倍率が９０％である縮小コピーが行なわれている。すなわち、９回目のコピー、および、図７で説明した４回目のコピーを比較したときに、拡大／縮小倍率が異なる。
【００６７】
印刷用紙サイズは、Ｂ４サイズである。また、拡大／縮小倍率は、９０％である。そのため、読取範囲サイズは、印刷用紙サイズを、拡大／縮小倍率で除算して得られるサイズである。すなわち、読取範囲サイズは、Ａ３サイズより小さくＢ４サイズより大きいサイズであり、かつ、定型サイズではないサイズである。
【００６８】
読取範囲サイズは、読取原稿サイズであるＢ４サイズより大きい。そのため、読取原稿の領域のみならず、読取範囲の領域が、読取部１２において読み取られる。
【００６９】
読取範囲サイズは、定型サイズではないサイズである。このときには、課金カウンタ１４１は、８回目のコピーと同様に、課金カウントを行なう。すなわち、課金カウンタ１４１は、読取範囲サイズがＡ３サイズであるとみなしたうえで、課金カウントを行なう。
【００７０】
読取範囲サイズはＡ３サイズとみなされるため、読取枚数の課金カウントは２である。しかし、読取枚数の物理カウントは１である。印刷用紙サイズはＢ４サイズであるため、印刷枚数の課金カウントは１である。また、印刷枚数の物理カウントは１である。
【００７１】
｛料金集計結果および消耗品交換時期の表示画面｝
次に、デジタル複合機１が料金集計結果および送りローラなどの消耗品の交換時期を表示する方法について説明する。図９は、料金集計結果を表示する画面を示す図である。図１０は、送りローラ交換時期を表示する画面を示す図である。デジタル複合機１は、料金集計結果および送りローラなどの消耗品の交換時期を表示するリストを、印刷部１３において印刷してもよい。
【００７２】
まず、料金集計結果を表示する画面について説明する。ユーザは、料金集計結果を表示部１６に表示させるように、デジタル複合機１を操作する。図９で示した料金集計結果を表示する表示画面１６１は、読取料金を表示する表示エリア１６２、印刷料金を表示する表示エリア１６３、読取料金および印刷料金の合計料金を表示する表示エリア１６４などから構成される。
【００７３】
表示エリア１６２に表示された読取枚数は、課金カウンタ１４１による読取枚数の課金カウントの累計である１４となる。すなわち、デジタル複合機１は、読取範囲サイズの大小を考慮して、読取料金を集計する。課金係数は、読取枚数１枚について、読取料金を定める係数である。表示エリア１６２に表示された課金係数は、読取枚数１枚について２円である。そのため、表示エリア１６２に表示された読取料金は、２８円（＝１４枚×２円／１枚）である。
【００７４】
表示エリア１６３に表示された印刷枚数は、課金カウンタ１５１による印刷枚数の課金カウントの累計である１４となる。すなわち、デジタル複合機１は、印刷用紙サイズの大小を考慮して、印刷料金を集計する。課金係数は、印刷枚数１枚について、印刷料金を定める係数である。表示エリア１６３に表示された課金係数は、印刷枚数１枚について５円である。そのため、表示エリア１６３に表示された印刷料金は、７０円（＝１４枚×５円／１枚）である。
【００７５】
表示エリア１６２に表示された読取料金、および、表示エリア１６３に表示された印刷料金に基づいて、表示エリア１６４に表示された合計料金は、９８円（＝２８円＋７０円）と集計される。ユーザは、表示エリア１６４に表示された合計料金に基づいて、デジタル複合機１の管理者に使用料金を支払えばよい。
【００７６】
次に、送りローラ交換時期を表示する画面について説明する。ユーザまたは管理者は、送りローラ交換時期を表示部１６に表示させるように、デジタル複合機１を操作する。図１０で示した送りローラ交換時期を表示する表示画面１６５は、読取部１２について送りローラ交換時期を表示する表示エリア１６６、印刷部１３について送りローラ交換時期を表示する表示エリア１６７などから構成される。
【００７７】
表示エリア１６６に表示された読取枚数は、物理カウンタ１４２による読取枚数の物理カウントの累計である９となる。すなわち、デジタル複合機１は、読取範囲サイズの大小を考慮することなく、読取部１２の送りローラが交換されるべきかどうかを判断する。交換目安枚数は、読取部１２の送りローラが何枚の読取原稿を配送したときに、読取部１２の送りローラが交換されるべきかを示す目安である。
【００７８】
表示エリア１６６に表示された交換目安枚数は２００枚である。そのため、表示エリア１６６には、「交換は必要ありません」というメッセージが表示される。表示エリア１６６に表示される読取枚数が２００枚に近づくときに、表示エリア１６６には「まもなく交換時期です」という警告が表示される。ユーザまたは管理者は、表示エリア１６６に表示される警告に基づいて、読取部１２の送りローラを交換すればよい。
【００７９】
表示エリア１６７に表示された印刷枚数は、物理カウンタ１５２による印刷枚数の物理カウントの累計である９となる。すなわち、デジタル複合機１は、印刷用紙サイズの大小を考慮することなく、印刷部１３の送りローラが交換されるべきかどうかを判断する。交換目安枚数は、印刷部１３の送りローラが何枚の印刷用紙を配送したときに、印刷部１３の送りローラが交換されるべきかを示す目安である。
【００８０】
表示エリア１６７に表示された交換目安枚数は２００枚である。そのため、表示エリア１６７には、「交換は必要ありません」というメッセージが表示される。表示エリア１６７に表示される印刷枚数が２００枚に近づくときに、表示エリア１６７には「まもなく交換時期です」という警告が表示される。ユーザまたは管理者は、表示エリア１６７に表示される警告に基づいて、印刷部１３の送りローラを交換すればよい。
【００８１】
最後に、本発明の効果についてまとめる。デジタル複合機１は、印刷用紙サイズを拡大／縮小倍率で除算することにより、読取範囲サイズを計算する。そして、デジタル複合機１は、読取範囲サイズが所定サイズ以上であるときには、読取範囲サイズが所定サイズ未満であるときより、課金カウンタ１４１による課金カウントを増加させる。また、デジタル複合機１は、印刷用紙サイズが所定用紙サイズ以上であるときには、印刷用紙サイズが所定用紙サイズ未満であるときより、課金カウンタ１５１による課金カウントを増加させる。そのため、デジタル複合機１は、拡大コピーまたは縮小コピーにおいて、読取範囲サイズおよび印刷用紙サイズを考慮したうえで、使用状況に即して使用料金を計算できる。
【００８２】
デジタル複合機１は、物理カウンタ１４２による物理カウントに基づいて、読取部１２の送りローラなどの消耗品が交換されるべきかどうかを判断する。また、デジタル複合機１は、物理カウンタ１５２による物理カウントに基づいて、印刷部１３の送りローラなどの消耗品が交換されるべきかどうかを判断する。そのため、デジタル複合機１は、読取部１２および印刷部１３の送りローラなどの消耗品の交換時期を、それぞれ独立に判断できる。
【００８３】
｛変形例１｝
図３で説明した８回目および９回目のコピーでは、読取範囲サイズは、定型サイズではないサイズである。上述した実施例においては、課金カウンタ１４１は、読取範囲サイズより大きいサイズであり、かつ、読取範囲サイズに最も近い定型サイズに基づいて、課金カウントを行なう。しかし、課金カウンタ１４１は、読取範囲サイズより小さいサイズであり、かつ、読取範囲サイズに最も近い定型サイズに基づいて、課金カウントを行なってもよい。
【００８４】
８回目のコピーにおいては、読取範囲サイズは、Ｂ４サイズより小さくＡ４サイズより大きいサイズであり、かつ、定型サイズではないサイズである。本変形例においては、課金カウンタ１４１は、読取範囲サイズがＡ４サイズであるとみなしたうえで、課金カウントを行なう。そのため、上述した実施例と同様に、読取枚数の課金カウントは１である。
【００８５】
９回目のコピーにおいては、読取範囲サイズは、Ａ３サイズより小さくＢ４サイズより大きいサイズであり、かつ、定型サイズではないサイズである。本変形例においては、課金カウンタ１４１は、読取範囲サイズがＢ４サイズであるとみなしたうえで、課金カウントを行なう。そのため、上述した実施例と異なり、読取枚数の課金カウントは１である。
【００８６】
本変形例において表示エリア１６２に表示される読取枚数は、上述した実施例において表示エリア１６２に表示された読取枚数より少なくなる。すなわち、本変形例において表示エリア１６２に表示される読取料金は、上述した実施例において表示エリア１６２に表示された読取料金より低額となる。そのため、本変形例は上述した実施例より、読取料金を低額に設定するときに有効である。
【００８７】
｛変形例２｝
上述した実施例においては、課金カウンタ１４１が２枚分のカウントを行なうか、通常どおり１枚分のカウントを行なうか、を決定する読取範囲サイズのしきい値として、Ａ３サイズが設定されている。しかし、読取範囲サイズのしきい値として、Ａ３サイズ以外の読取範囲サイズが設定されてもよい。印刷用紙サイズのしきい値の設定についても、読取範囲サイズのしきい値の設定と同様に行なえばよい。
【００８８】
また、読取範囲サイズのしきい値として、複数の読取範囲サイズのしきい値が設定されてもよい。たとえば、読取範囲サイズがＡ３サイズ以上であるときには３枚分のカウントが、読取範囲サイズがＡ５サイズ以上Ａ３サイズ未満であるときには２枚分のカウントが、読取範囲サイズがＡ５サイズ未満であるときには１枚分のカウントが行なわれてもよい。印刷用紙サイズのしきい値の設定についても、読取範囲サイズのしきい値の設定と同様に行なえばよい。
【図面の簡単な説明】
【００８９】
【図１】デジタル複合機の構成要素を示すブロック図である。
【図２】デジタル複合機におけるカウント処理の流れを示すフローチャートである。
【図３】デジタル複合機における使用状況およびカウントを示す図である。
【図４】デジタル複合機における読取処理および印刷処理を示す図である。
【図５】デジタル複合機における読取処理および印刷処理を示す図である。
【図６】デジタル複合機における読取処理および印刷処理を示す図である。
【図７】デジタル複合機における読取処理および印刷処理を示す図である。
【図８】デジタル複合機における読取処理および印刷処理を示す図である。
【図９】料金集計結果を表示する画面を示す図である。
【図１０】送りローラ交換時期を表示する画面を示す図である。
【符号の説明】
【００９０】
１  デジタル複合機
１１  設定部
１２  読取部
１３  印刷部
１４  読取枚数カウンタ
１５  印刷枚数カウンタ
１６  表示部
１４１、１５１  課金カウンタ
１４２、１５２  物理カウンタ
【図１】
0005061799.tif 000002
【図２】
0005061799.tif 000003
【図３】
0005061799.tif 000004
【図４】
0005061799.tif 000005
【図５】
0005061799.tif 000006
【図６】
0005061799.tif 000007
【図７】
0005061799.tif 000008
【図８】
0005061799.tif 000009
【図９】
0005061799.tif 000010
【図１０】
0005061799.tif 000011